(57)【要約】      （修正有）【課題】クラブを用いて静止したボールを打つ際にボールの位置及びボールを打ち出す方向に対するスタンスの位置と幅を示すアドレス補助具であって、プレイ時に持ち運び可能で、クラブについての調整が容易なものを提供する。【解決手段】ボールの設置位置を示す指示部２ａと、指示部から一軸方向に延びる胴部とを有する上辺部２と、上辺部の胴部に一軸方向に離間して傾動可能に固定された一端と、この一端から他端までの長さが互いに等しい胴部とを有する２つの斜辺部３，４と、２つの斜辺部の他端が上辺部に固定された一端の離間距離に等しい距離離間して傾動可能に固定された底辺部５と、からアドレス補助具１を構成する。ボールを打ち出す方向に上辺部２の胴部を向け、クラブの種類に応じて２つの斜辺部３，４の傾きを調整することで、底辺部５のマーク板５ａを用いて左足及び右足のスタンスの位置とを決めることができる。【選択図】図１
0003190576.tif 000002
【実用新案登録請求の範囲】
【請求項１】
クラブを用いて静止したボールを打つ際の該ボールの位置とスタンスの位置とを示すアドレス補助具であって、
前記ボールの位置を示す指示部と、該指示部から一軸方向に延びる胴部と、を有する上辺部と、
前記上辺部の胴部に前記一軸方向に離間して傾動可能に固定された一端と、該一端から他端までの長さが互いに等しい胴部と、を有する２つの斜辺部と、
前記２つの斜辺部の他端が前記上辺部に固定された一端の離間距離に等しい距離離間して傾動可能に固定された、前記スタンスの位置を示す胴部を有する底辺部と、
を備えることを特徴とする、アドレス補助具。
【請求項２】
前記上辺部及び前記底辺部の少なくとも一方に対する前記２つの斜辺部の少なくとも一方の傾きを示す部材をさらに備えることを特徴とする、請求項１に記載のアドレス補助具。
【請求項３】
前記底辺部の胴部には、前記スタンスの位置を示す手段が設けられていることを特徴とする、請求項１又は２に記載のアドレス補助具。
【請求項４】
前記斜辺部が前記上辺部及び前記底辺部と略平行に傾動可能であることを特徴とする、請求項１〜３のいずれか１項に記載のアドレス補助具。
【考案の詳細な説明】
【技術分野】
【０００１】
本考案は、クラブを用いて静止したボールを打つ際にボールの位置に対するスタンスの位置と幅を示すアドレス補助具に関する。
【背景技術】
【０００２】
ゴルフは、クラブを用いて静止したボールを打ち、コース上のホール（カップとも呼ぶ）に如何に少ない打数で入れることができるかを競う球技である。良いショットを打つには、すなわちボールをカップに向けて正確に飛ばすには、クラブを正しくスイングする必要があり、そのために正しいアドレスでスイングすることが重要である。
【０００３】
アドレスの重要な要素として、スタンスの幅（左足と右足の間隔）、スタンスの左右位置（ボールを打ち出す方向に平行な方向の位置）及びスタンスの前後位置（ボールを打ち出す方向に垂直な方向の位置）がある。（以下、これらを「アドレス」と言う。）ボールを打ち出す方向に基づいて定まるボールに対する左足及び右足の位置（以下、単に「ボールに対する左足及び右足の位置」と言う。）によってアドレスが定まる。
【０００４】
アドレスは、使用するクラブ、プレイヤの体格等に依存して相違する。ボールに対する左足及び右足の位置を画一的に定めることはできない。アドレス補助具は、これらの相違に対応しなければならない。
【０００５】
特許文献１には、ボールの位置に対してプレイヤのスタンスを補正するアドレス補助具であって、使用するクラブ毎の調整が可能なものが開示されている。練習時等にこれを地面に置いて使用することで、ボールの位置に対するスタンスの位置及び方向を知ることができ、正しいアドレスの姿勢を身につけることができるものである。
【０００６】
しかし、特許文献１に開示されたアドレス補助具には、以下の問題があった。（１）折り畳みが困難であり、プレイ時に持ち運んで使用することができず、移動せずにスイングを繰り返す練習時等のみの使用に限定される。（２）スタンスの左右位置とスタンスの前後位置とをそれぞれ個別の操作により合わせる必要があり、手間がかかり、また誤りの可能性が高い。
【先行技術文献】
【特許文献】
【０００７】
【特許文献１】特開２００３−１２６３２０号公報
【考案の概要】
【考案が解決しようとする課題】
【０００８】
本考案は、クラブを用いて静止したボールを打つ際にボールの位置及びボールを打ち出す方向に対するスタンスの位置と幅を示すアドレス補助具であって、プレイ時に持ち運ぶことができ、クラブについての調整が容易なものを提供することを課題とする。
【課題を解決するための手段】
【０００９】
本考案のアドレス補助具は、
クラブを用いて静止したボールを打つ際の該ボールの位置とスタンスの位置とを示すアドレス補助具であって、
前記ボールの位置を示す指示部と、該指示部から一軸方向に延びる胴部と、を有する上辺部と、
前記上辺部の胴部に前記一軸方向に離間して傾動可能に固定された一端と、該一端から他端までの長さが互いに等しい胴部と、を有する２つの斜辺部と、
前記２つの斜辺部の他端が前記上辺部に固定された一端の離間距離に等しい距離離間して傾動可能に固定された、前記スタンスの位置を示す胴部を有する底辺部と、
を備えることを特徴とする。
【００１０】
これによれば、ボールを打ち出す方向に上辺部の胴部を向け、クラブの種類に応じて上辺部又は底辺部に対する２つの斜辺部の傾きを調整することで、ボールの位置とこれに対して一軸方向に直交する方向に関するスタンスの位置とを決めることができる。
【００１１】
本考案のアドレス補助具は、
上辺部及び底辺部の少なくとも一方に対する２つの斜辺部の少なくとも一方の傾きを示す部材をさらに備えることを特徴とする。
【００１２】
これによれば、上辺部又は底辺部に対する２つの斜辺部の傾きを正確に調整することができる。
【００１３】
本考案のアドレス補助具は、底辺部の胴部には、スタンスの位置を示す手段が設けられていることを特徴とする。
【００１４】
これによれば、一軸方向に関するスタンスの位置を決めることができる。
【００１５】
本考案のアドレス補助具は、
前記斜辺部が前記上辺部及び前記底辺部と略平行に傾動可能であることを特徴とする。
【００１６】
これによれば、アドレス補助具が１本のクラブと同程度のサイズに折り畳まれ、プレイ時に持ち運ぶことができる。
【考案の効果】
【００１７】
本考案のアドレス補助具によれば、クラブの種類に応じて上辺部又は底辺部に対する２つの斜辺部の傾きを調整することで、クラブについての調整が容易なものを提供することができる。また、プレイ時に持ち運ぶことができるアドレス補助具を提供することができる。
【図面の簡単な説明】
【００１８】
【図１】図１は、アドレス補助具の構成を示す図である。
【図２】図２は、上辺部と斜辺部との間の相対角度を示す分度器の配置を示す図である。
【図３】図３は、スタンスの位置を示すマーク板を示す図である。
【図４】図４は、アドレス補助具の使用方法を説明するための図である。
【図５】図５は、アドレス補助具を折り畳んだ状態を示す図である。
【考案を実施するための形態】
【実施例１】
【００１９】
図１に、本実施形態に係るアドレス補助具１の構成を示す。図は右利きのプレイヤのものであるが、左利きのプレイヤについては左右を反転させればよい。図１において、紙面横方向をＸ方向、縦方向をＹ方向とする。アドレス補助具１は、上辺部２、斜辺部３，４、底辺部５、固定具６、及び分度器７から構成される。
【００２０】
上辺部２は、Ｘ方向を長手とする棒状部材である。その長さは、一例として４０ｃｍである。上辺部２の先端（−Ｘ端）には、ボールの設置位置を示すマーク等の指示部２ａが設けられている。
【００２１】
斜辺部３，４は、互いに等しい長さ（一例として７０ｃｍ）を有する棒状部材である。斜辺部３，４は、Ｙ方向に関して上辺部２と後述する底辺部５の間に、Ｘ方向に関して距離４０ｃｍ離間して、それらの上端（＋Ｙ端）をＹ方向に対して交差する方向に向けて互いに平行に配置されている。ここで、斜辺部３の上端（＋Ｙ端）は、上辺部２の胴部の先端寄り（−Ｘ側）に、固定具６を用いて傾動可能に固定されている。斜辺部４の上端（＋Ｙ端）は、上辺部２の基端（＋Ｘ端）に、固定具６を用いて傾動可能に固定されている。
【００２２】
底辺部５は、Ｘ方向を長手とする棒状部材である。その長さは、上辺部２より十分長く、一例として１２０ｃｍである。底辺部５の胴部の先端寄り（−Ｘ側）に、斜辺部３の下端（−Ｙ端）が固定具６を用いて傾動可能に固定されている。底辺部５の胴部のおよそ中央に、斜辺部４の下端（−Ｙ端）が固定具６を用いて傾動可能に固定されている。なお、斜辺部３，４は平行に配置されているため、それらの下端（−Ｙ端）の底辺部５上の固定位置の離間距離は上端（＋Ｙ端）の上辺部２上の固定位置の離間距離に等しい。
【００２３】
上辺部２、斜辺部３，４、及び底辺部５は、一例として木製とするが、金属、樹脂等、任意の素材から構成することとしてよい。
【００２４】
固定具６は、一例としてゴム製の板状部材とする。固定具６の弾力により、斜辺部３，４の上端（＋Ｙ端）は上辺部２に対して０〜９０度の範囲で傾斜する。同様に、斜辺部３，４の下端（−Ｙ端）は底辺部５に対して０〜９０度の範囲で傾斜する。非使用時には、アドレス補助具１をコンパクトに畳んで携帯することもできる。なお、固定具６としてヒンジ等を採用してもよい。
【００２５】
上述の構成のアドレス補助具１は、平行リンク機構を構成する。従って、上辺部２を固定し、これに対して斜辺部４又は斜辺部３を傾斜することで、底辺部５を上辺部２に対して平行に維持しつつ、底辺部５と上辺部２の距離（スタンスの前後位置）を調整することができる。
【００２６】
分度器７は、図２に示すように、上辺部２の基端（＋Ｘ端）に固定されている。分度器７の表面には、上辺部２の長手方向を基準とする角度を示すマークが設けられている。図ではドライバ、３番アイアン、８番アイアンを示しているが、これに限らず各クラブを示すことができる。分度器７を用いることで、上辺部２に対する斜辺部４の角度を容易に調整することができる。すなわち、底辺部５と上辺部２の距離（スタンスの前後位置）を容易に調整することができる。
なお、上辺部２に対する斜辺部４の角度が把握できればよく、必ずしも分度器でなくてもよい。例えば、斜辺部４の端から針等を突出させ、上辺部２にマークが設けてもよい。
【００２７】
底辺部５の胴部の上面には、スタンスの位置を示すマーク板５ａが設けられている。図３に示すように、マーク板５ａはＸ方向を長手とする板状部材で、その表面には使用するクラブ（ドライバＤｒ、３、５、８番アイアン３Ｉ，５Ｉ，８Ｉ、ピッチングウェッジＰｗ、サンドウェッジＳｗ等）に対して右足の位置（すべてのクラブに対して同じ）及び左足の位置を示す複数のマークが設けられている。
なお、スタンスの位置が把握できればよく、必ずしもマーク板でなくてもよい。例えば、底辺部５の胴部の上面そのものにマークを付してもよい。
【００２８】
分度器７及びマーク板５ａに設けられるマークの位置はプレイヤに依存して異なる位置となる。プレイヤが自ら記入できるものであることが好ましい。例えば、分度器７及びマーク板５ａをホワイトボードのような無地の板とし、プレイヤが水性インクでマークを書くことが考えられる。
【００２９】
アドレス補助具１の使用方法を説明する。
【００３０】
まず、図４（Ａ）に示すように、ボールを打ち出す方向（白抜き矢印の方向（−Ｘ方向））に上辺部２の胴部を向けて、ボールの設置位置１０に上辺部２の指示部２ａを位置決めする。白抜き矢印と、上辺部２とが同一直線上になるようにすればよい。
【００３１】
次に、図４（Ｂ）に示すように、使用するクラブの種類に応じて斜辺部３，４の上辺部２に対する角度を決める。この例では、上辺部２に対して斜辺部３，４の角度を小さくしている。それにより、図４（Ｃ）に示すように、底辺部５が上辺部２に対して平行な状態を維持しつつ＋Ｙ方向に移動し、ボールの設置位置１０及びボールの打ち出し方向に対して底辺部５の位置（スタンスのＹ方向の位置）及び向き（スタンスの向き）が決まる。
【００３２】
最後に、図４（Ｄ）に示すように、底辺部５のマーク板５ａ（図２参照）を用いてスタンス、すなわち両足の位置（Ｘ方向の位置）を決める。
【００３３】
以上詳細に説明したように、本実施例のアドレス補助具１は、ボールの位置を示す指示部２ａと指示部２ａから一軸方向に延びる胴部とを有する上辺部２と、上辺部２の胴部に一軸方向に離間して傾動可能に固定された一端とこの一端から他端までの長さが互いに等しい胴部とを有する２つの斜辺部３，４と、２つの斜辺部３，４の他端が上辺部２に固定された一端の離間距離に等しい距離離間して傾動可能に固定された底辺部５と、から構成される。ボールを打ち出す方向に上辺部２の胴部を向け、クラブの種類に応じて上辺部２又は底辺部５に対する２つの斜辺部３，４の傾きを調整することで、底辺部５のマーク板５ａを用いてボールの設置位置１０とこれに対してＹ方向及びＸ方向に関するスタンスの位置とを決めることができる。
【００３４】
なお、ボールの設置位置に対するスタンスの位置は、使用するクラブのみでなく、プレイヤの体格にも依存する。そこで、本実施形態のアドレス補助具１では、マーク板５ａ及び分度器７に使用するクラブに応じたマークを設けたが、これに代えて単にＸ方向の位置を示す目盛及び上辺部２に対する斜辺部４の角度を示す目盛を設けることとしてもよい。その場合、プレイヤは、自己の体格及び使用するクラブに応じて上辺部２に対する斜辺部４の角度が何度、左足の位置が何ｃｍ、右足の位置が何ｃｍと決めて、アドレス補助具１を使用する。１つのアドレス補助具１によって体格の異なるプレイヤに対応することができる。
【実施例２】
【００３５】
図５に、アドレス補助具を折り畳んだ状態を示す。上辺部２、斜辺部３，４及び底辺部５を同一方向に折り畳むことができる。なお、ゴムの弾性により厳密に同一方向ではなく若干の角度差は発生するが、図ではこれを捨象した。
【００３６】
折り畳んだ状態におけるアドレス補助具１の長さは、一例として１５０ｃｍである。１本のクラブと略同等の長さであり、容易に持ち運ぶことができる。
【００３７】
プレイヤは、アドレス補助具１をクラブと一緒に持ち運んでプレイをし、スイングの都度使用することができる。アドレス補助具１を用いて左足及び右足の位置を定め、アドレス補助具１を撤去してスイングする。かかるアドレス補助具１の使用は、ゴルフのルール上も認容されている。
【産業上の利用可能性】
【００３８】
クラブについての調整が容易であり、プレイ時に持ち運ぶことができるアドレス補助具であり、多くのゴルフプレイヤによる利用が考えられる。
【符号の説明】
【００３９】
１    アドレス補助具
２    上辺部
２ａ  指示部
３    斜辺部
４    斜辺部
５    底辺部
５ａ  マーク板
６    固定具
７    分度器
１０    設置位置
【図１】
0003190576.tif 000003
【図２】
0003190576.tif 000004
【図３】
0003190576.tif 000005
【図４】
0003190576.tif 000006
【図５】
0003190576.tif 000007